(57)【要約】【課題】多数台が１箇所に集合して配置されるとともに空気排出口から排出された熱い空気が空気吸込口から吸い込まれないようにしてショートサイクルが防止された空調機用室外機を提供する。【解決手段】空調機用室外機（２１）は、空気吸込口（２２）が空気排出口（２３）より下に設けられた空調機用室外機において、上記空気吸込口の上端と上記空気排出口との間を空気が流れないように仕切る水平仕切（１）が配置され、上記水平仕切は、鉛直方向に流れる空気を遮断する仕切板（２）と、上記仕切板の位置を昇降する支持柱（３ａ〜３ｄ）と、を備え、上記仕切板は、幅が可変される。【選択図】図１
2009192113.tif 000002
【特許請求の範囲】
【請求項１】
空気吸込口が空気排出口より下に設けられた空調機用室外機において、
上記空気吸込口の上端と上記空気排出口との間を空気が流れないように仕切る水平仕切が配置されることを特徴とする空調機用室外機。
【請求項２】
上記水平仕切は、鉛直方向に流れる空気を遮断する仕切板と、上記仕切板の位置を昇降する支持柱と、を備えることを特徴とする請求項１に記載の空調機用室外機。
【請求項３】
上記仕切板は、幅が可変されることを特徴とする請求項２に記載の空調機用室外機。
【発明の詳細な説明】
【技術分野】
【０００１】
この発明は、屋上などに配列され配置された分散方式の空調機の空調機用室外機に関するものである。
【背景技術】
【０００２】
ショートサイクルを防止し、小面積に多数台の室外機を熱効率よく配置できる室外機の排気構造を提供する。内部に熱交換器及びファンを備えた二台の横置型のケーシングが、近接して対向配置されている。この二台のケーシングには、その下面に空気の流入口が設けられている。それぞれのケーシングの上面には、空気の排出口が設けられている。この排出口には、二つのケーシングの組が複数組設置されている。各ケーシングの間隔は、通常の室外機のケーシングの間隔よりも狭くなっている（例えば、特許文献１参照）。
【０００３】
【特許文献１】特開平９−１２６４９４号公報
【発明の開示】
【発明が解決しようとする課題】
【０００４】
しかし、ガイド板により案内されて上方に向かって流れる熱い空気は陽圧になっているのに対して空気吸込口の付近は空気が吸い込まれるために負圧になっており、熱い空気は低気圧である空気吸込口の付近に流れてしまうので、熱い空気が空気吸込口から吸い込まれてショートサイクルが発生してしまうという問題がある。
また、ビルの屋上に配置されているときには上方に向かって流れる熱い吹出空気もビル風により上昇が遮られて下方に向きを変えられて流れ、隣接する空調機用室外機の空気吸込口の付近に流れ着くので、熱い空気が空気吸込口から吸い込まれてショートサイクルが発生してしまうという問題がある。
【０００５】
この発明の目的は、多数台が１箇所に集中して設置されるとともに空気排出口から排出された熱い空気が空気吸込口から吸い込まれないようにしてショートサイクルが防止された空調機用室外機を提供することである。
【課題を解決するための手段】
【０００６】
この発明に係る空調機用室外機は、空気吸込口が空気排出口より下に設けられた空調機用室外機において、上記空気吸込口の上端と上記空気排出口との間を空気が流れないように仕切る水平仕切が配置される。
【発明の効果】
【０００７】
この発明に係る空調機用室外機の効果は、空気排出口から排出された熱い空気が負圧である空気吸込口に向かって流れても途中で水平仕切により遮られるので、熱い空気が空気吸込口から吸い込まれることにより発生するショートサイクルを防止することである。
【発明を実施するための最良の形態】
【０００８】
図１は、この発明を実施するための最良の形態における水平仕切板の斜視図である。
水平仕切１は、四隅で支持されるとともに支持される四隅の位置を変えることにより伸縮できる仕切板２および仕切板２の四隅を支持する支持柱３ａ〜３ｄを備える。
仕切板２は、バネ性を有する線材が波状に加工された２本の伸縮梁４ａ、４ｂおよび平行に配置された２本の伸縮梁４ａ、４ｂの両端をそれぞれつなぐ２本の固定梁５ａ、５ｂを備える。そして、２本の伸縮梁４ａ、４ｂおよび２本の固定梁５ａ、５ｂをつなぐことにより略四角形の枠となる。
また、仕切板２は、枠の各辺である伸縮梁４ａ、４ｂおよび固定梁５ａ、５ｂに４辺が固定される伸縮シート６を備える。
【０００９】
伸縮シート６は、表裏の間では通気性がないので、伸縮シート６に向かって流れてくる空気を伸縮シート６の面に沿って流す。また、伸縮シート６は、伸縮梁４ａ、４ｂを伸縮すると伸縮シート６が面に垂直な方向に覆う面積が広がったり狭くなったりする。
支持柱３ａ〜３ｄは、水平仕切１を配置するときに床面に接する水平脚１１、水平脚１１に縦立する垂直脚１２および垂直脚１２を補強する斜交い１３を備える。
垂直脚１２は、水平脚１１に一端が固定されて縦立する固定部１４、固定部１４に沿って昇降する可動部１５および昇降された可動部１５をその時の位置に固定する固定部材１６を備える。
【００１０】
図２は、水平仕切１を２台の空調機用室外機２１の間に配置する様子を示す図である。
次に、水平仕切１を２台の空調機用室外機２１の間に配置する様子を説明する。
水平仕切１を間に配置する２台の空調機用室外機２１は、空気吸込口２２に充分な空気が供給されるように所定の距離だけ離間して配置されている。また、空調機用室外機２１は、空気吸込口２２から吸い込まれた空気は図示しない熱交換器で熱交換器に流れる冷媒から熱を奪うことにより温度が上昇し、上昇した空気は図示しないファンにより空気排出口２３から上方に排出される。
【００１１】
水平仕切１を所定の距離だけ離間した空調機用室外機２１に配置するときには、４本の水平脚１１を空調機用室外機２１の筐体２４に近接するようにして支持柱３ａ〜３ｄを四角形の四隅にくるように配置する。次に、空気吸込口２２と空気排出口２３との間で空気が流れないようにするために仕切板２が空気吸込口２２の上端より上で且つ空気排出口２３より下の位置に配置する。そのときは固定部材１６を一旦弛めて可動部１５を昇降して仕切板２を鉛直方向に昇降して適切な位置になったら固定部材１６を締める。
【００１２】
このように水平仕切１を２台の空調機用室外機２１の間に配置すると、空気排出口２３から上方に向かって流れる熱い空気が空調機用室外機２１の上方を流れる風により下降流となって仕切板２に向かって下降しても仕切板２により流れの向きが変えられて水平流となる。そのため、２台の空調機用室外機２１の筐体２４、仕切板２および床により囲まれる空間内には熱い空気が流れ込まない。
そして、２台の空調機用室外機２１の筐体２４、仕切板２および床により囲まれる空間を流れる空気に熱い空気が混ざり込まないので、空気吸込口２２に吸い込まれた空気の温度が高くならずにショートサイクルを防止できる。
【００１３】
図３は、６行４列に配置された２４台の空調機用室外機に１８個の水平仕切１を配置した様子を示す図である。
空調機用室外機は、吸込温度が３５℃のときの熱交換能力および電力量を比較のために１とすると、吸込温度が４３℃のときには熱交換能力が０．９位まで低下し且つ電力量が１．１位まで増加する。そして、空調機用室外機の温度が床からの反射などにより例えば４３℃になっているとき、水平仕切１を配置せずに運転するとショートサイクルが発生し吸込温度が４８〜４９℃まで上昇し、能力が大幅に低下してしまう空調機用室外機により高圧カットが発生する。
一方、上述と同じ条件下の空調機用室外機に水平仕切１を配置して運転すると、吸込温度が大体の場合４０℃以下となりショートサイクルが大幅に改善される。
【００１４】
この発明に係る空調機用室外機は、空気排出口２３から排出された熱い空気が低気圧である空気吸込口２２に向かって流れても途中で水平仕切１により遮られるので、熱い空気が空気吸込口２２から吸い込まれることにより発生するショートサイクルを防止する。
【００１５】
また、隣接する空調機用室外機との間の離間距離が異なっていても仕切板２の幅を変えることにより空調機用室外機の筐体２４と仕切板２の側端部との間の隙間が大きくならないので、空調機用室外機の離間距離が異なっていても１種類の水平仕切１で仕切ることができる。
また、支持柱３ａ〜３ｄの長さを変えることができるので、設けられる空気吸込口の位置が異なった空調機用室外機に対しても所望の位置を１種類の水平仕切１で仕切ることができる。
【図面の簡単な説明】
【００１６】
【図１】この発明を実施するための最良の形態における水平仕切板の斜視図である。
【図２】水平仕切を２台の空調機用室外機の間に配置する様子を示す図である。
【図３】６行４列に配置された２４台の空調機用室外機に１８個の水平仕切を配置した様子を示す図である。
【符号の説明】
【００１７】
１  水平仕切、２  仕切板、３ａ〜３ｄ  支持柱、４ａ、４ｂ  伸縮梁、５ａ、５ｂ  固定梁、６  伸縮シート、１１  水平脚、１２  垂直脚、１３  斜交い、１４  固定部、１５  可動部、１６  固定部材、２１  空調機用室外機、２２  空気吸込口、２３  空気排出口、２４  筐体。
【図１】
2009192113.tif 000003
【図２】
2009192113.tif 000004
【図３】
2009192113.tif 000005